(57)【要約】【課題】階調度を低下させることなく、画質の劣化を起こさせずに省電力を行うことが可能な液晶駆動回路を提供する。【解決手段】本発明の信号処理回路は、入力されるデジタル階調データを、Ｄ／Ａ変換して変換アナログ電圧として出力するＤ／Ａコンバータ２及びバッファ３からなるＤ／Ａ変換回路と、供給される所定の電圧を、切り換えて供給アナログ電圧として出力するスイッチ４と、変換アナログ電圧、または供給アナログ電圧のいずれかを、アナログ電圧として出力するスイッチ５と、デジタル階調データが内部の設定データと一致するか否かを検出し、一致したことを検出すると、このデジタル階調データに対応する供給アナログ電圧が出力されるように、スイッチ４の切り換えを行うとともに、この供給アナログ電圧を出力するように、スイッチ５の切り換えを行う検出回路１とを具備する。【選択図】      図１
2004274335.tif 000002
【特許請求の範囲】
【請求項１】
入力されるデジタルデータを、Ｄ／Ａ変換して変換アナログ電圧として出力するＤ／Ａ変換回路と、
供給される複数の電圧のいずれかを選択し、供給アナログ電圧として出力する第１のスイッチと、
前記変換アナログ電圧、または前記供給アナログ電圧のいずれかを選択し、アナログ電圧として出力する第２のスイッチと、
前記デジタルデータが内部の設定データと一致するか否かを検出し、一致したことを検出すると、このデジタルデータに対応する供給アナログ電圧が出力されるように、前記第１のスイッチの切り換えを行うとともに、この供給アナログ電圧を出力するように、前記第２のスイッチの切り換えを行う検出回路と
を具備することを特徴とする信号処理回路。
【請求項２】
前記検出回路が、前記供給アナログ電圧に対応するデジタルデータを、前記設定データとして保持しており、
このデジタルデータと供給アナログ電圧との対応関係が、前記Ｄ／Ａ変換回路におけるデジタルデータと変換アナログ電圧との対応関係と同様であることを特徴とする請求項１記載の信号処理回路。
【請求項３】
前記検出回路が前記デジタルデータが内部の設定データと一致したことを検出すると、Ｄ／Ａコンバータ及びバッファからなる前記Ｄ／Ａ変換回路への電源供給を停止することを特徴とする請求項１または請求項２記載の信号処理回路。
【請求項４】
前記第１のスイッチが、電源回路から供給される電源電圧及び０Ｖのいずれかを切り換えにより選択し、供給アナログ電圧として出力することを特徴とする請求項１から請求項３のいずれかに記載の信号処理回路。
【請求項５】
前記第１のスイッチが、電源回路から供給される電源電圧及び０Ｖの範囲内における所定の電圧を、切り換えにより選択し、供給アナログ電圧として出力することを特徴とする請求項１から請求項４のいずれかに記載の信号処理回路。
【請求項６】
入力されるデジタルデータ各々の入力回数を、所定範囲毎に計数する計数器と、
前記設定データに対応した電圧を発生させ、第１のスイッチに供給する電源発生回路と
を有し、
前記検出回路が上記計数結果により、前記デジタルデータの中で入力回数の高いものを１つまたは複数選択し、前記所定範囲毎に、設定データとして設定することを特徴とする請求項２から請求項５のいずれかに記載の信号処理回路。
【請求項７】
複数の信号線のそれぞれに、入力されるデジタル階調データに応じたアナログ電圧を供給する駆動電圧発生回路として、前記請求項１から請求項６のいずれかの信号処理回路を用いたことを特徴とする液晶駆動回路。
【発明の詳細な説明】
【０００１】
【発明の属する技術分野】
本発明は信号処理回路に関し、特に、液晶表示装置における、液晶素子の駆動回路に関する。
【０００２】
【従来の技術】
液晶駆動回路は、図４に示すように、デジタル回路で構成された回路系と、アナログ回路で構成された回路系から構成されている。
デジタル回路の回路系は、カラム毎のデータを入力するシフトレジスタ１０１，次に表示するデータをシフトレジスタ１０１から入力して一時記憶するデータレジスタ１０２，及び現在表示中のデータを保持するデータラッチ１０３から構成されている。
液晶表示装置は、図５に示す構成をしており、ソースドライバ２０１が各カラムラインに接続された液晶素子２０３に供給する表示データを出力し、ゲートドライバ２０１が任意のロウラインに接続されたトランジスタのゲートに制御信号を出力して、表示するロウラインに対応する液晶素子に上記表示データを供給し、所定の液晶素子に表示データの書込を行う。
【０００３】
近年、低消費電力の表示が可能なことから、携帯電話等の携帯機器において、液晶表示装置が多用されるようになってきている。
そして、携帯機器のさらなる小型化に対応できるよう、より液晶表示装置に対する低消費電力化の要求が高まっている。
ここで、図４におけるデジタル回路の回路系に対して、アナログ回路の回路系の消費電力が大きく、予め設定された関係に基づき、デジタルデータをアナログデータに変換するＤ／Ａコンバータ１０４と、変換されたアナログデータに対して液晶素子を駆動させるための電力増幅を行うバッファ１０５とで、液晶表示装置の消費電力の７０〜８０％を占めている。
【０００４】
したがって、低消費電力化に効率よく対応するためには、上記Ｄ／Ａコンバータ１０４及びバッファ１０５の消費する電力を削減するための制御を行うことが考えられる。
すなわち、ソースドライバにおいて、消費電力の大きなバッファ１０５、さらにＤ／Ａコンバータ１０４の動作を、外部からの信号により稼働または停止させるものである（特許文献１）。
【０００５】
【特許文献１】
特開平２００１−１８８４９９号
【０００６】
【発明が解決しようとする課題】
上述した従来のソースドライバの構成を、図６を参照して説明する。
特許文献１の従来例は、スタンバイモードにおいて、低消費電力とする制御信号がバッファ１０６，インバータ回路１０８及びスイッチ１０７へ入力される。
スタンバイ状態の場合、バッファ１０６へ電力の供給が停止され、インバータ回路１０８への電力の供給が行われ、スイッチ１０７からインバータ回路１０８からの信号が出力される。
【０００７】
一方、スタンバイ状態でない場合、バッファ１０６へ電力の供給が行われ、インバータ回路１０８への電力の供給が停止され、スイッチ１０７からバッファ１０６からの信号（Ｄ／Ａコンバータ１０５で生成された階調度に対応したアナログ階調データ）が出力される。
上述したように、バッファ１０６の動作の制御により、低消費電力化を実現することが可能である。
【０００８】
しかしながら、上述した従来の方法には、スタンバイ時の制御ということもあり、使用するソースドライバの出力モードをチップ一括でしか制御を行うことができない。
すなわち、上述した従来の方法においては、スタンバイ時において、入力されるデジタル階調データの最上位ビットを、インバータ１０８へ出力して、２値データとして出力している。
【０００９】
このため、ＲＧＢ（Ｒｅｄ，Ｇｒｅｅｎ，Ｂｌｕｅ）各々において６ビットにより階調度を表現した場合、２６万色が表現できるのに対して、ＲＧＢ各々において１ビット（最上位ビット）のデータにより階調度を表現した場合、８色の表現しか行えず、表示可能色が減少して、画質が劣化してしまうという欠点がある。
したがって、通常の表示を行っているときに、上述従来例では、表示可能色をそのままの状態で、画質の劣化を起こさせずに省電力を行うことが困難である。
本発明は、このような背景の下になされたもので、階調度を低下させることなく、画質の劣化を起こさせずに省電力を行うことが可能な液晶駆動回路を提供することにある。
【００１０】
【課題を解決するための手段】
本発明の信号処理回路は、入力されるデジタルデータを、Ｄ／Ａ変換して変換アナログ電圧として出力するＤ／Ａ変換回路と、供給される複数の電圧のいずれかを選択し、供給アナログ電圧として出力する第１のスイッチと、前記変換アナログ電圧、または前記供給アナログ電圧のいずれかを選択し、アナログ電圧として出力する第２のスイッチと、前記デジタルデータが内部の設定データと一致するか否かを検出し、一致したことを検出すると、このデジタルデータに対応する供給アナログ電圧が出力されるように、前記第１のスイッチの切り換えを行うとともに、この供給アナログ電圧を出力するように、前記第２のスイッチの切り換えを行う検出回路とを具備する。
【００１１】
これにより、本発明の信号処理回路は、上記検出回路が、設定データとして設定されているデジタル階調データが入力されたことを検出すると、Ｄ／Ａコンバータ及びバッファ３からなるＤ／Ａ変換回路に対する電源供給を停止し、第１のスイッチ及び第２のスイッチの出力状態を切り換えて、第１のスイッチの切り換え制御を行い、入力されている複数の異なった電圧のいずれかを選択する状態とし、すなわち、入力されるデジタル階調データに対応する電圧を第１のスイッチに入力される複数の電圧から選択し、この電圧をアナログ階調電圧の駆動信号として出力させるため、低消費電力化を実現することができる。
【００１２】
本発明の信号処理回路は、前記検出回路が、前記供給アナログ電圧に対応するデジタルデータを、前記設定データとして保持しており、このデジタルデータと供給アナログ電圧との対応関係が、前記Ｄ／Ａ変換回路におけるデジタルデータと変換アナログ電圧との対応関係と同様である。
これにより、本発明の信号処理回路は、Ｄ／Ａ変換回路において出力する変換電圧と同様な電圧を、第１及び第２のスイッチを介して供給することができ、Ｄ／Ａ変換回路を用いずともデジタル階調データを対応するアナログ階調電圧の駆動信号への変換が可能なため、所定のデジタル階調データを特定の電圧への変換において、Ｄ／Ａ変換回路を使用する必要がないため、消費電力を低下させることができる。
また、本発明の信号処理回路は、液晶表示装置のカラムライン各々において、デジタル階調データの入力を判定して、Ｄ／Ａ変換回路からの変換信号（変換アナログ電圧）または第１のスイッチからの供給信号（供給アナログ電圧）のいずれをアナログ階調電圧の駆動信号として出力するかの制御を、カラムライン毎に行い、かつ、中間調に関してはＤ／Ａ変換回路の出力信号を、アナログ階調データとして出力するので、階調度を低下させることがなく、画質の劣化を起こさせずに省電力を行うことが可能である。
【００１３】
本発明の信号処理回路は、前記検出回路が前記デジタルデータが内部の設定データと一致したことを検出すると、Ｄ／Ａコンバータ及びバッファからなる前記Ｄ／Ａ変換回路への電源供給を停止する。
これにより、本発明の信号処理回路は、必要に応じて、Ｄ／Ａコンバータ及びバッファ３からなるＤ／Ａ変換回路に対する電源供給の停止及び開始を制御することが出来るため、必要の無いときの電力を削減することができ、低消費電力化を実現することができる。
【００１４】
本発明の信号処理回路は、前記第１のスイッチが、電源回路から供給される電源電圧及び０Ｖ（接地電圧）のいずれかを切り換えにより選択し、供給アナログ電圧として出力する。
これにより、本発明の信号処理回路は、Ｄ／Ａ変換回路が最も消費電力を使用する電源電圧ＶＤ及び接地電圧ＧＮＤの出力時に、Ｄ／Ａ変換回路への電源供給を停止し、第１及び第２のスイッチの出力状態を切り換える制御により、電源から駆動信号のアナログ階調電圧を得るため、この時点でＤ／Ａ変換回路を使用しない分、低消費電力化を実現することができる。
【００１５】
本発明の信号処理回路は、前記第１のスイッチが、電源回路から供給される電源電圧及び０Ｖの範囲内における所定の電圧を、切り換えにより選択し、供給アナログ電圧として出力する。
これにより、本発明の信号処理回路は、使用頻度の最も高い階調度，または使用頻度の高い複数の階調度に対応するアナログ階調電圧を、第１のスイッチから供給することができるため、Ｄ／Ａコンバータ及びバッファの動作を大幅に規制することができ、低消費電力化を達成することが可能となる。
【００１６】
本発明の信号処理回路は、入力されるデジタルデータ各々の入力回数を、所定範囲毎に計数する計数器と、前記設定データに対応した電圧を発生させ、第１のスイッチに供給する電源発生回路とを有し、前記検出回路が上記計数結果により、前記デジタルデータの中で入力回数の高いものを１つまたは複数選択し、前記所定範囲毎に、設定データとして設定する。
これにより、本発明の信号処理回路は、実際に使用途中において、使用頻度の最も高い階調度を検出し、電源電圧及び接地電圧に対応する階調度と共に設定データとして設定して、対応するアナログ階調電圧を、第１のスイッチから供給することができるため、よりリアルタイムにＤ／Ａコンバータ及びバッファからなるＤ／Ａ変換回路の動作を規制することができ、低消費電力化を達成することが可能となる。
【００１７】
本発明の液晶駆動回路は、複数の信号線のそれぞれに、入力されるデジタル階調データに応じたアナログ電圧を供給する駆動電圧発生回路として、上記いずれかの信号処理回路を用いる。
これにより、本発明の液晶駆動回路は、上述したような駆動電圧発生回路の効果に基づき、大幅に低消費電力化を達成することが可能となる。
【００１８】
【発明の実施の形態】
以下、本発明の一実施形態である、ソースドライバの構成例を図を参照して説明する。
＜第１の実施形態＞
図１は、本発明の第１の実施形態の駆動電圧発生回路の構成例を示す概念図である。
本発明によるソースドライバ２００は、図５の液晶表示装置に用いられる図４に示す構成と同様であるが、駆動電圧発生回路１５０の構成として、図１の構成を用いている。
図１の駆動電圧発生回路は、検出回路１，Ｄ／Ａコンバータ２，バッファ３及びスイッチ４，５を少なくとも有している。
【００１９】
検出回路１は、図示しないラッチ（図４のラッチ１０３等）から入力されるデジタル階調データが、あらかじめ内部に設定されている設定データと一致するか否かの判定を行う。
この設定データは、Ｄ／Ａコンバータ２においてアナログ階調電圧に変換された後、バッファ３から出力されるとき、例えば、デジタル階調データが６ビットである場合、他の階調に比較して大量に電力が消費される６３階調及び０階調を示すデジタル階調データが、設定データとして設定されている。
【００２０】
Ｄ／Ａコンバータ２は、予め規定されたデジタルデータとアナログ電圧との対応関係に基づき、入力されるデジタル階調データを、変換アナログ電圧の変換信号として出力する。
ここで、Ｄ／Ａコンバータ２におけるデジタル階調データと変換アナログ電圧との変換における対応関係は、検出回路１に設定された設定データと、この設定データに対応してスイッチ４から出力される供給アナログ電圧との対応関係と同様である。
また、Ｄ／Ａコンバータ２は、動作のための電力の供給が、上記検出回路１により制御される。
バッファ３は、Ｄ／Ａコンバータ２の出力する変換信号の増幅を行い、トランジスタのソースが接続された各カラムラインに、このトランジスタを介して十分な電力の駆動信号を供給し、液晶素子の駆動を行う。
【００２１】
また、バッファ３は、増幅動作のための電力の供給及び停止が、上記検出回路１により制御される。
ここで、バッファ３は、６３階調及び０階調の変換アナログ電圧の変換信号を増幅するとき、内部の複数のトランジスタを駆動させるため、他の階調度に比較すると、より大きな電力を使用する。
【００２２】
スイッチ４は、入力側の端子に電源電圧ＶＤと接地電圧ＧＮＤとが所定の電圧として各々入力され、いずれの電圧を供給アナログ電圧としてスイッチ５に対して供給するかの切り換え制御が検出回路１より行われる。
スイッチ５は、スイッチ４の出力である供給信号（供給アナログ電圧）と、バッファ３の出力する変換信号（変換アナログ電圧）とが入力されており、いずれの信号を、液晶素子を駆動させるアナログ階調電圧の駆動信号として出力するかの切り換え制御が、検出回路１により行われる。
【００２３】
次に、図１，図４および図５を参照して、上述した第１の実施形態である液晶駆動装置の動作を説明する。
簡単のために、デジタル階調度データを６ビット（０〜６３階調の範囲の階調度）として説明する。
ここで、Ｄ／Ａコンバータ２は、例えば、デジタル階調データが「１（ＭＳＢ）１１１１１（ＬＳＢ）；３Ｆ（１６進表示）」で表される階調度「６３」（グレースケールの場合，白表示）のときに、変換アナログ電圧の信号として、電源電圧ＶＤの変換信号を出力し、「００００００；００」（グレースケールの場合，黒表示）で表される階調度「０」とき、変換アナログ電圧の信号として、接地電圧ＧＮＤの変換信号を出力する。
【００２４】
また、Ｄ／Ａコンバータ２は、階調度６２〜１の範囲を示すデジタル階調データが入力されると、中間調の階調度の変換アナログ電圧として、電源電圧ＶＤと接地電圧ＧＮＤとの間において、予め規定された対応関係により、各々のデジタル階調電圧に対応する変換アナログ電圧の変換信号を出力する。
このとき、検出回路１には、Ｄ／Ａコンバータ２及びドライバ３において、他の階調度より電力消費が多い階調度「３Ｆ」と「００」が、設定データとして設定されている。
【００２５】
データレジスタ１０２からラッチ１０３にデジタル階調データが入力され、ラッチがこのデジタル階調データを保持すると、検出回路１及びＤ／Ａコンバータ２に対して、デジタル階調データが供給される。
そして、検出回路１は、入力されたデジタル階調データが、内部に設定されている設定データ「３Ｆ」，「００」のいずれかと一致するか否かの判定を、各々のデータを比較することにより行う。
ここで、検出回路１は、入力されたデジタル階調データが、「３Ｆ」及び「００」のいずれでもないと判定すると、バッファ３からの変換信号が、カラムラインに対して、駆動信号として出力される状態に、スイッチ５の切り換え制御を行う。
【００２６】
一方、検出回路１は、デジタル階調データ「３Ｆ」または「００」のいずれかが入力されたことを検出すると、Ｄ／Ａコンバータ２及びバッファ３（もしくはバッファ３のみ）への電力の供給を停止させる。
また、検出回路１は、入力されたデジタル階調データに対応する供給アナログ電圧が出力される状態に、スイッチ４の切り換え制御を行う。
これにより、スイッチ４からは、例えば、入力されるデジタル階調データが「３Ｆ」と判定された場合、供給アナログ電圧（電源電圧）ＶＤの供給信号が供給される。
【００２７】
すなわち、検出回路１は、入力されたデジタル階調データが「３Ｆ」であれば、駆動信号を、電源電圧ＶＤの供給アナログ電圧を供給信号として出力する状態に、また、入力されたデジタル階調データが「００」であれば、接地電圧ＧＮＤの供給アナログ電圧の供給信号として出力する状態にスイッチ４の切り換えを制御する。
そして、検出回路１は、上記供給信号が供給される状態に、スイッチ５の切り換え制御を行う。
これにより、スイッチ５からは、スイッチ４からの供給信号が、カラムラインに対して、駆動信号として供給される。
【００２８】
上述したように、第１の実施形態による液晶駆動回路は、検出回路１が、設定データとして設定されているデジタル階調データ「３Ｆ」，「００」が入力されたことを検出すると、Ｄ／Ａコンバータ２及びバッファ３への電源供給を停止し、スイッチ４及びスイッチ５の出力状態を切り換えて、電源電圧ＶＤ及び接地電圧ＧＮＤに対応するアナログ階調電圧の駆動信号として出力することにより、低消費電力化を実現することができる。
【００２９】
ここで、Ｄ／Ａコンバータ２及びバッファ３において、ソースドライバ２００の全消費電力の７０〜８０％が消費されるため、この２つの回路に電力の供給を停止することで、非常に大きな低消費電力化が達成できる。
特に、第１の実施形態による液晶駆動回路は、携帯機器の場合において、文字データ等の表示が多く、スイッチ４及び５を切り換えての、液晶素子の駆動が多くなるため、さらに低消費電力化の効果を得ることができる。
【００３０】
また、第１の実施形態による液晶駆動回路は、図４に示すカラムライン各々において、デジタル階調データ「３Ｆ」，「００」の入力を判定して、カラムライン毎に、バッファ３からの変換信号（変換アナログ電圧）またはスイッチ４からの供給信号（供給アナログ電圧）のいずれをアナログ階調電圧の駆動信号として出力するかの制御を行い、かつ、中間調に関してはＤ／Ａコンバータ２及びバッファ３からの出力信号を、アナログ階調データとして出力するので、階調度を低下させることがないため、画質の劣化を起こさせずに省電力を行うことが可能である。
【００３１】
＜第２の実施形態＞
次に、図２は、本発明の第２の実施形態の駆動電圧発生回路の構成例を示す概念図である。
この図２の駆動電圧発生回路は、図１に示す構成と、同様な構成については同一の符号を付して説明を省略する。
第２の実施形態が第１の実施形態と異なる構成は、スイッチ１１がスイッチ４の電源電圧ＶＤ及び接地線圧ＧＮＤの所定の電圧に加えて、例えば使用頻度の高い階調度のアナログ階調電圧と同様の中間電圧Ｖｎが入力されている点である。
【００３２】
そして、検出回路１０は、このスイッチ１１の構成に対応して、電源電圧ＶＤ，接地線圧ＧＮＤ及び上記中間電圧Ｖｎに対応するデジタル階調データ，すなわち、各々「３Ｆ」，「００」，「ＮＮ（任意の階調度）」が設定データとして設定されている。
これにより、検出回路１０は、デジタル階調データが入力されると、設定データとして設定されている「３Ｆ」，「００」，「ＮＮ」のいずれかと一致するか否かの判定を行う。
【００３３】
そして、検出回路１０は、入力されたデジタル階調データが、上記設定データのいずれかと一致すると判定した場合、一致した設定データに対応するアナログ階調電圧と、同様の電圧値の供給アナログ電圧の供給信号を供給する状態に、スイッチ１１を切り換え制御するとともに、スイッチ５がスイッチ４からの供給信号を階調信号として出力させる状態に切り換え制御を行う。
上述した以外の構成及び動作は、第１の実施形態の駆動電圧発生回路と同様である。
【００３４】
これにより、第２の実施形態は、第１の実施形態の効果に加えて、使用頻度の最も高い階調度，または使用頻度の高い複数の階調度に対応するアナログ階調電圧を、スイッチ１１から供給することができるため、よりＤ／Ａコンバータ２及びバッファ３の動作を規制することができ、低消費電力化を達成することが可能となる。
【００３５】
＜第３の実施形態＞
次に、図３は、本発明の第３の実施形態の駆動電圧発生回路の構成例を示す概念図である。
この図３の駆動電圧発生回路は、図２に示す構成と、同様な構成については同一の符号を付して説明を省略する。
第３の実施形態が第２の実施形態と異なる構成は、スイッチ１１に供給する使用頻度の高い階調度のアナログ階調電圧と同様の中間電圧を生成するための電源発生回路１４が設けられている点である。
【００３６】
また、カウンタ１３は、画素が入力されるたびに、使用される階調度毎、例えば、「６３」〜「００」までの６４種類の階調度各々の入力回数をカウントし、最もカウント数の多い階調度を、検出回路１２及び電源発生回路１４へ出力する。
このとき、カウンタ１３は、上位いくつかのカウント数の多い階調度を複数選択して、この階調度を検出回路１２及び電源発生回路１４へ出力するように構成しても良い。
【００３７】
検出回路１２は、カウンタ１３に対して、１画面単位の画素に対してカウント動作を行わせるため、カウント開始及びカウント終了の制御信号を出力する。
ここで、カウンタ１３は、カウント開始の制御信号により画素の計数を開始し、カウント終了の制御信号により、選択した階調度を検出回路１２及び電源発生回路１４へ出力する
電源発生回路１４は、カウンタ１３から入力される階調度（デジタル階調データ）に対応した電圧Ｖｎを発生し、スイッチ１１へ出力する。
【００３８】
検出回路１２は、上記カウント終了の制御信号を出力することで、カウンタ１３から出力される階調度を、使用頻度の高い中間調のデジタル階調データとして読み込み、階調度「６３」及び「００」と共に設定データとして設定される。
また、検出回路１２は、入力されたデジタル階調データが、上記設定データのいずれかと一致すると判定した場合、一致した設定データに対応するアナログ階調電圧と、同様の電圧値の供給アナログ電圧の供給信号を供給する状態に、スイッチ１１を切り換え制御するとともに、スイッチ５がスイッチ４からの供給信号を階調信号として出力させる状態に切り換え制御を行う。
上述した以外の構成及び動作は、第１の実施形態の駆動電圧発生回路と同様である。
【００３９】
これにより、第３の実施形態は、第１及び第２の実施形態の効果に加えて、実際に使用途中において、使用頻度の最も高い階調度を検出し、階調度「６３」及び「００」と共に設定データとして設定して、対応するアナログ階調電圧を、スイッチ１１から供給することができるため、よりリアルタイムにＤ／Ａコンバータ２及びバッファ３の動作を規制することができ、低消費電力化を達成することが可能となる。
【００４０】
以上、本発明の一実施形態を図面を参照して詳述してきたが、具体的な構成はこの実施形態に限られるものではなく、本発明の要旨を逸脱しない範囲の設計変更等があっても本発明に含まれる。
現在、携帯用途向けに用いられている汎用の液晶ドライバＩＣ（集積回路）は、スイッチ出力モード（例えば、８色）と、アンプ出力モード（例えば、２６万色）とのいずれにより駆動させるかを、モード指定信号により選択することが可能である。
このため、本発明の応用として、走査線単位あるいはフレーム単位で入力されるデジタル階調データが、全て「１」または全て「０」の同一レベルのビットである場合に、スイッチ出力モードを選択するモード指定信号を出力し、それ以外の場合にアンプ出力モードを選択するモード指定信号を出力する検出回路を設ける。
これにより、ドライバ出力エリア毎において、液晶素子の消費電力制御を行うことができ、駆動回路での消費電力を低減させることが可能となる。
【００４１】
【発明の効果】
本発明の信号処理回路によれば、上記検出回路が、設定データとして設定されているデジタル階調データが入力されたことを検出すると、Ｄ／Ａコンバータ及びバッファ３からなるＤ／Ａ変換回路に対する電源供給を停止し、第１のスイッチ及び第２のスイッチの出力状態を切り換えて、第１のスイッチの切り換え制御を行い、入力されるデジタル階調データに対応するアナログ階調電圧の駆動信号として出力させるため、液晶表示装置におけるＤ／Ａ変換を行う信号処理回路とそて使用する場合、ソースドライバにおける消費電力を大幅に削減することが可能となり、低消費電力化を実現することができる。
【００４２】
また、第１の実施形態による液晶駆動回路は、液晶表示装置のカラムライン各々において、デジタル階調データの入力を判定して、カラムライン毎に、Ｄ／Ａ変換回路からの変換信号（変換アナログ電圧）または第１のスイッチからの供給信号（供給アナログ電圧）のいずれをアナログ階調電圧の駆動信号として出力するかの制御を行い、かつ、中間調に関してはＤ／Ａ変換回路の出力信号を、アナログ階調データとして出力するので、階調度を低下させることがなく、画質の劣化を起こさせずに省電力を行うことが可能である。
【図面の簡単な説明】
【図１】本発明の第１の実施形態である駆動電圧発生回路の構成を示すブロック図である。
【図２】本発明の第２の実施形態である駆動電圧発生回路の構成を示すブロック図である。
【図３】本発明の第３の実施形態である駆動電圧発生回路の構成を示すブロック図である。
【図４】液晶表示装置におけるソースドライバの構成を示すブロック図である。
【図５】液晶表示装置の構成を示す概念図である。
【図６】従来による駆動電圧発生回路の構成を示すブロック図である。
【符号の説明】
１，１０，１２  検出回路
２  Ｄ／Ａコンバータ
３  バッファ
４，５，１１  スイッチ
１３  カウンタ
１４  電圧発生回路
【図１】
2004274335.tif 000003
【図２】
2004274335.tif 000004
【図３】
2004274335.tif 000005
【図４】
2004274335.tif 000006
【図５】
2004274335.tif 000007
【図６】
2004274335.tif 000008